(57)【要約】【課題】設計自由度を損ねずに、シャフトの着脱機能とヘッド重心位置の調節機能とを両立させる。【解決手段】ゴルフクラブヘッド２と、ゴルフクラブヘッド２に取り外し可能に固定されているシャフト３とを有するゴルフクラブであって、ゴルフクラブヘッド２の底面側には、第１孔部２１と、第２孔部２２とが設けられる。第１孔部２１には、シャフト３をゴルフクラブヘッド２に固定するための第１固定具２３が取り付けられている。第２孔部２２には、ゴルフクラブヘッド２に質量を与えるための第２固定具２４が取り付けられている。第１固定具２３と、第２固定具２４とは、互いに異なる質量を有し、第１固定具２３は、第１孔部２１から取り外して第２孔部２２にも取り付け得る。第２固定具は、第２孔部２２から取り外され、かつ、シャフト３をゴルフクラブヘッド２に固定するために第１孔部２１に取り付け得る。【選択図】図４
2015009048.tif 000002
【特許請求の範囲】
【請求項１】
ゴルフクラブヘッドと、前記ゴルフクラブヘッドに取り外し可能に固定されているシャフトとを有するゴルフクラブであって、
前記ゴルフクラブヘッドの底面側には、第１孔部と、第２孔部とが設けられ、
第１孔部に、前記シャフトを前記ゴルフクラブヘッドに固定するための第１固定具が取り付けられ、
前記第２孔部に、前記ゴルフクラブヘッドに質量を与えるための第２固定具が取り付けられ、
前記第１固定具と、前記第２固定具とは、互いに異なる質量を有し、
前記第１固定具は、前記第１孔部から取り外して前記第２孔部に取り付けることができ、
前記第２固定具は、前記第２孔部から取り外され、かつ、前記シャフトを前記ゴルフクラブヘッドに固定するために前記第１孔部に取り付けることができることを特徴とするゴルフクラブ。
【請求項２】
前記ゴルフクラブヘッドは、筒状のホーゼル部を含み、
前記ホーゼル部は、前記シャフトが挿入される上側開口と、底面側に表れる下側開口とを有するシャフト差込孔を具えており、
前記シャフトの先端には、第１ネジ部が設けられたスリーブ部材が固着されており、
前記第１孔部は、前記下側開口からヘッド内部にのびる空間と、前記シャフト差込孔に挿入された前記スリーブ部材の前記第１ネジ部とを含んで形成され、
前記第１固定具及び前記第２固定具には、前記第１ネジ部に噛み合う第２ネジ部が設けられている請求項１記載のゴルフクラブ。
【請求項３】
前記スリーブ部材の前記第１ネジ部は、雄ネジ部であり、
前記第１固定具の前記第２ネジ部は、雌ネジ部である請求項２記載のゴルフクラブ。
【請求項４】
前記第２孔部は、ヘッド外面側に設けられ、孔の軸線の方向から見たときに第１コーナ部を有する外側孔部と、前記外側孔部のヘッド内部側に連なりかつ前記第１コーナ部とは異なる位置に第２コーナ部を有する内側孔部とを少なくとも含み、
前記第２固定具は、フランジ部を有し、
前記フランジ部は、前記外側孔部を通過した後の前記第２孔部の前記軸線の周りの回転により、前記内側孔部の前記第２コーナ部で回転を規制されるとともに、前記第２コーナ部と前記外側孔部との間の段差で抜け止めされて固定される請求項１乃至３のいずれかに記載のゴルフクラブ。
【請求項５】
前記ゴルフクラブヘッドは、ボールの打撃面であるフェースを有し、
前記第１孔部と前記第２孔部は、それぞれ、前記フェースからの距離が略一定である請求項１乃至４のいずれかに記載のゴルフクラブ。
【請求項６】
前記第１孔部には、前記第１ネジ部と同軸上で前記第１ネジ部とは離間した位置に第３ネジ部が設けられ、
前記第１固定具及び第２固定具は、前記第２ネジ部と同軸上で前記第２ネジ部とは離間した位置に前記第３ネジ部に噛み合う第４ネジ部が設けられている請求項２又は３に記載のゴルフクラブヘッド。
【発明の詳細な説明】
【技術分野】
【０００１】
本発明は、ゴルフクラブヘッドと、該ゴルフクラブヘッドに取り外し可能に固定されているシャフトとを有するゴルフクラブに関し、詳しくは、ゴルフクラブヘッドの重心位置を調節することができるゴルフクラブに関する。
【背景技術】
【０００２】
下記特許文献１は、ゴルフクラブヘッドとシャフトとの着脱が可能なゴルフクラブを提案している。このゴルフクラブは、例えば、シャフト差込孔を有するホーゼル部を具えており、そこには上側からシャフトの一端が挿入される。シャフト差込孔の下部側に設けられた第１孔部には、シャフトをゴルフクラブヘッドに固定するためのネジが取り付けられる。このようなゴルフクラブは、ゴルファーが、ヘッド又はシャフトを付け替えることができるという利点を持つ。しかしながら、このゴルフクラブは、ヘッドの重心位置を調節することについては、考慮されていない。
【０００３】
ゴルフクラブヘッドとシャフトとの着脱が可能なゴルフクラブにおいて、ヘッドの重心位置を調節する機能を有するものが提案されている。この種のゴルフクラブには、例えば、ゴルフクラブヘッドの底面側に、さらに、複数個の第２孔部が設けられている。各第２孔部には、質量が異なる複数個の錘部材が取り付けられる。各錘部材は、互いの位置を交換しうるように、いずれの第２孔部にも取り付けることができる形状を有している。従って、ゴルファーは、錘部材の位置を変えることにより、ゴルフクラブヘッドの重心位置を調節することができる。
【０００４】
しかしながら、上述のようなゴルフクラブヘッドは、ヘッド底面側に多くの第２孔部が設けられるため、ヘッドの設計自由度を損ねるという問題があった。特に、ヘッド体積が小さいフェアウェイウッド等のゴルフクラブヘッドにあっては、多くの第２孔部を設けることが困難であった。さらに、錘部材や、シャフトを固定するためのネジ等に多くの種類の部品が必要であった。
【先行技術文献】
【特許文献】
【０００５】
【特許文献１】特開２０１２−８６０１０号公報
【発明の概要】
【発明が解決しようとする課題】
【０００６】
本発明は、以上のような問題点に鑑み案出なされたもので、ゴルフクラブヘッドとシャフトとが着脱可能なゴルフクラブにおいて、設計自由度の低下を防止しつつヘッドの重心位置を調節することができるゴルフクラブを提供することを主たる目的としている。
【課題を解決するための手段】
【０００７】
本発明は、ゴルフクラブヘッドと、前記ゴルフクラブヘッドに取り外し可能に固定されているシャフトとを有するゴルフクラブであって、前記ゴルフクラブヘッドの底面側には、第１孔部と、第２孔部とが設けられ、第１孔部に、前記シャフトを前記ゴルフクラブヘッドに固定するための第１固定具が取り付けられ、前記第２孔部に、前記ゴルフクラブヘッドに質量を与えるための第２固定具が取り付けられ、前記第１固定具と、前記第２固定具とは、互いに異なる質量を有し、前記第１固定具は、前記第１孔部から取り外して前記第２孔部に取り付けることができ、前記第２固定具は、前記第２孔部から取り外され、かつ、前記シャフトを前記ゴルフクラブヘッドに固定するために前記第１孔部に取り付けることができることを特徴とする。
【０００８】
本発明に係る前記ゴルフクラブにおいて、前記ゴルフクラブヘッドは、筒状のホーゼル部を含み、前記ホーゼル部は、前記シャフトが挿入される上側開口と、底面側に表れる下側開口とを有するシャフト差込孔を具えており、前記シャフトの先端には、第１ネジ部が設けられたスリーブ部材が固着されており、前記第１孔部は、前記下側開口からヘッド内部にのびる空間と、前記シャフト差込孔に挿入された前記スリーブ部材の前記第１ネジ部とを含んで形成され、前記第１固定具及び前記第２固定具には、前記第１ネジ部に噛み合う第２ネジ部が設けられても良い。
【０００９】
本発明に係る前記ゴルフクラブにおいて、前記スリーブ部材の前記第１ネジ部は雄ネジ部として、前記第１固定具の前記第２ネジ部は雌ネジ部として、それぞれ構成されても良い。
【００１０】
本発明に係る前記ゴルフクラブにおいて、前記ゴルフクラブヘッドは、ボールの打撃面であるフェースを有し、前記第１孔部と前記第２孔部は、それぞれ、前記フェースからの距離が略一定であっても良い。
【００１１】
本発明に係る前記ゴルフクラブにおいて、前記第２孔部は、ヘッド外面側に設けられ、孔の軸線の方向から見たときに第１コーナ部を有する外側孔部と、前記外側孔部のヘッド内部側に連なりかつ前記第１コーナ部とは異なる位置に第２コーナ部を有する内側孔部とを少なくとも含み、前記第２固定具は、フランジ部を有し、前記フランジ部は、前記外側孔部を通過した後の前記第２孔部の前記軸線の周りの回転により、前記内側孔部の前記第２コーナ部で回転を規制されるとともに、前記第２コーナ部と前記外側孔部との間の段差で抜け止めされて固定されても良い。
【００１２】
本発明に係る前記ゴルフクラブにおいて、前記第１孔部には、前記第１ネジ部と同軸上で前記第１ネジ部とは離間した位置に第３ネジ部が設けられ、前記第１固定具及び第２固定具は、前記第２ネジ部と同軸上で前記第２ネジ部とは離間した位置に前記第３ネジ部に噛み合う第４ネジ部が設けられていても良い。
【発明の効果】
【００１３】
本発明のゴルフクラブは、ゴルフクラブヘッドと、ゴルフクラブヘッドに取り外し可能に固定されているシャフトとを有している。ゴルフクラブヘッドの底面側には、第１孔部と、第２孔部とが設けられ、第１孔部には、シャフトをゴルフクラブヘッドに固定するための第１固定具が取り付けられている。第２孔部には、ゴルフクラブヘッドに質量を与えるための第２固定具が取り付けられている。
【００１４】
本発明では、第１固定具と、前記第２固定具とは、互いに異なる質量を有しており、第１固定具は、第１孔部から取り外して第２孔部にも取り付けることができる。また、第２固定具は、第２孔部から取り外され、かつ、第１孔部から、シャフトをゴルフクラブヘッドに固定するために取り付けられる。
【００１５】
従って、シャフトをゴルフクラブヘッドに固定するための第１固定具と、ヘッドに質量を付与するための第２固定具とは、互いに位置交換可能である。換言すれば、シャフトをヘッドに取り付けるために利用される第１孔部は、ヘッドの重心位置を調整するための孔部の一つとして利用される。
【００１６】
従って、本発明によれば、ヘッド底面側に設けられる第２孔部の数を減らし、ヘッドの設計自由度を損ねずに、ヘッド重心の調節機能と、シャフトの着脱機能とを両立させることができる。これは、特に、ヘッド体積の小さいフェアウェイウッド等において、有効である。
【図面の簡単な説明】
【００１７】
【図１】本発明のゴルフクラブの斜視図である。
【図２】本発明のゴルフクラブのゴルフクラブヘッドとシャフトとの結合部分の断面図である。
【図３】本発明のゴルフクラブのヘッド底面側から見た斜視図である。
【図４】図３の分解斜視図である。
【図５】第１固定具の斜視図である。
【図６】図５のＡ−Ａ断面図である。
【図７】図３のＢ−Ｂ断面図である。
【図８】（Ａ）はインサート部品をその第１端部から見た図、（Ｂ）はインサート部品をその第２端部から見た図である。
【図９】インサート部品の斜視図である。
【図１０】ゴルフクラブの底面図である。
【図１１】本発明の他の実施形態を示すゴルフクラブヘッドとシャフトとの結合部分の断面図である。
【発明を実施するための形態】
【００１８】
以下、本発明の実施の一形態が図面に基づき説明される。
図１には、本実施形態のゴルフクラブ１の部分斜視図が示されている。ゴルフクラブ１は、ゴルフクラブヘッド（以下、単に「ヘッド」ということがある。）２と、シャフト３とを含んでいる。シャフト３は、後で詳細に説明されるが、ヘッド２に、着脱自在に取り付けられている。
【００１９】
本実施形態のヘッド２は、内部に中空部ｉ（図２に示される）が設けられたウッド型として構成されている。ウッド型のヘッドは、少なくともドライバー（＃１）、ブラッシー（＃２）、スプーン（＃３）、バフィ（＃４）及びクリーク（＃５）を含み、かつ、これらとは番手乃至名称が異なるが、ほぼ類似した形状を持つヘッドを含む。本発明の他の実施形態では、ヘッド２として、アイアン型、ユーティリティー型又はパター型が採用され得る。
【００２０】
ヘッド２は、例えば、金属材料で形成されており、ステンレス合金、マレージング鋼、チタン、チタン合金、マグネシウム合金又はアルミニウム合金が特に望ましい。これらは、１種又は２種以上組合せて用いられても良い。繊維強化樹脂が、ヘッド２の一部に用いられても良い。
【００２１】
ヘッド２は、フェース部４、クラウン部５、ソール部６、サイド部７及びホーゼル部８を含んでいる。
【００２２】
フェース部４は、ボールの打撃面であるフェース９を有している。クラウン部５は、ヘッド上面を構成するように、フェース９の上縁９ａからヘッド後方にのびている。ソール部６は、ヘッド底面を構成するように、フェース９の下縁９ｂからヘッド後方にのびている。サイド部７は、クラウン部４とソール部６との間を継いでおり、フェース９のトウ側縁９ｃからヘッド後方を通りフェース９のヒール側縁９ｄにのびている。ヘッド２の前後方向については、フェース９側を前方、その反対側が後方とされる。
【００２３】
ホーゼル部８は、クラウン部５のヒール側に設けられている。図２には、ホーゼル部８の断面図が示されている。ホーゼル部８は、シャフト３が挿入されるシャフト差込孔１０を有した円筒状に形成されている。シャフト差込孔１０は、ホーゼル部８の上端で開口する上側開口１０ａと、ソール部６で開口する下側開口１０ｂとを有しており、ヘッド２を貫通してのびている。
【００２４】
本実施形態のシャフト差込孔１０には、予め、例えば、金属材料からなる軸受１６が、例えば溶接等で固着されている。この軸受１６には、例えば、内周面に、軸方向にのびる歯と溝とが交互に設けられたスプライン軸受が用いられている。
【００２５】
シャフト３は、例えば、繊維強化樹脂を用いて作られている。本実施形態のシャフト３は、パイプ状で形成されている。シャフト３の先端側（チップ側）には、スリーブ部材１１が固着されている。
【００２６】
スリーブ部材１１は、例えば、金属材料からなり、シャフト３が差し込まれるスリーブ本体１１Ａと、スリーブ本体１１Ａの下方に設けられた軸部１１Ｂとを具えている。
【００２７】
スリーブ本体１１Ａは、軸方向にのびる孔１６を有する筒状に形成されている。孔１６は、内周面１６ａと、底面１６ｂとを有し、上部は解放されている。孔１６には、例えば、接着剤等でシャフト３が予め固着されている。スリーブ本体１１Ａは、ホーゼル部８の内部に挿入される第１部分１２と、ホーゼル部８から外側に露出している第２部分１３とを一体に具えている。第２部分１３は、コーン状の外面を有し、ホーゼル部８の上端に係合するように、第１部分１２よりも大きい外径を有している。
【００２８】
シャフト３が予め固着されたスリーブ部材１１は、ホーゼル部８のシャフト差込孔１０の上側開口１０ａから差し込まれる。これにより、シャフト３が、ヘッドに装着される。スリーブ本体１１Ａの第２部分１３がホーゼル部８の上端と当接することにより、スリーブ部材１１の下方への移動が規制され得る。
【００２９】
スリーブ部材１１の軸部１１Ｂは、スプライン部１４と第１ネジ部１５とを一体に有している。
【００３０】
スプライン部１４は、外周面に、軸方向にのびる歯と溝とが交互に設けられたものである。このスプライン部１４の外周面の凹凸は、シャフト差込孔６に固着されている軸受１６の内周面と互いに噛み合うように挿入される。これにより、スリーブ部材１１（及びこれに固着されているシャフト３）は、ヘッド２に対して、その軸線周りの回転が規制され得る。
【００３１】
第１ネジ部１５は、スプライン部１４の下側に一体に形成されている。本実施形態の第１ネジ部１５は、外周面にネジ溝が形成されている雄ネジ部からなる。第１ネジ部１５の外径は、スプライン部１４よりも小さく形成されている。
【００３２】
図３には、本実施形態のゴルフクラブをヘッド底面側から見た斜視図、図４はその分解図である。図２乃至４に示されるように、ヘッド２の底面側には、第１孔部２１と、第２孔部２２とが設けられている。
【００３３】
第１孔部２１は、図２及び図３に示されるように、シャフト差込孔１０の下側開口１０ｂを含んで形成されている。より詳細には、第１孔部２１は、下側開口１０ｂからヘッド内部側にのびる空間と、シャフト差込孔１０に装着されたスリーブ部材１１の第１ネジ部１５とを含んで形成される。従って、第１孔部２１は、ヘッド底面のヒール側に設けられている。本実施形態の第１孔部２１は、ヘッド底面を局部的に凹ませた凹部５０の上で開口している。一方、第２孔部２２は、第１孔部２１よりもトウ側に設けられている。この実施形態では、一つの第２孔部２２が示されているが、設計自由度が許す範囲において、複数個の第２孔部２２が設けられても良い。
【００３４】
第１孔部２１には、シャフト３をヘッド２に固定するための第１固定具２３が取り付けられている。第２孔部２２には、ヘッド２に質量を与えるための第２固定具２４が取り付けられている。
【００３５】
第１固定具２３と第２固定具２４とは、実質的に同一の形状を具えているが、互いに異なる質量を有している。本実施形態では、第１固定具２３及び第２固定具２４に、異なる比重の材料が用いられている。好ましい実施形態では、第１固定具２３及び第２固定具２４には、例えば、ステンレス、チタン、アルミニウム合金、銅合金又はタングステン合金等の金属材料が用いられる。必要に応じて、第１固定具２３及び第２固定具２４には、樹脂材料が用いられても良い。
【００３６】
図５には、代表的に、第１固定具２３の全体斜視図が示されている。第２固定具２４も第１固定具２３と同様の構成を具えている。図５に示されるように、第１固定具２３は、全体として長さの小さい軸状体であり、ヘッド底面側（外面側）に位置する端部側をなす頭部２５と、頭部２５と反対側の端部を形成している第２ネジ部２６と、頭部２５と第２ネジ部２６との間に設けられたフランジ部２７と、フランジ部２７と頭部２５との間に設けられた横断面円形の首部３２とを具えている。
【００３７】
頭部２５は、例えば、円盤状をなしており、端面にレンチ等の工具等を差し込んでシャフトの着脱を行うための操作孔３０が設けられている。この例では、操作孔３０は、四角形の凹部で形成されているが、六角形状や星形など任意の形状が採用され得る。
【００３８】
第２ネジ部２６は、例えば、円筒状であり、その内周面には、スリーブ部材１１の第１ネジ部１５と締結可能な雌ネジ部３１が形成されている。
【００３９】
図６には、フランジ部２７の断面図として、図５のＡ−Ａ断面図が示されている。図５及び図６に示されるように、フランジ部２７は、頭部２５よりも小さくかつ第２ネジ部２６よりも大きく形成されており、側方に張り出している。本実施形態のフランジ部２７は、４つのコーナ部２９を有している略四角形状であり、第２ネジ部２６及び首部３２に外接している。各コーナ部２９は、いずれも滑らかな円弧状に面取りされている。
【００４０】
図２に示したように、本実施形態の第１固定具２３は、第２ネジ部２６を用いてシャフト３をヘッド２に固定しうる。即ち、第１固定具２３は、ヘッド底面側の第１孔部２１に挿入され、その第２ネジ部２６がスリーブ部材１１の第１ネジ部１５にねじ込まれる。これにより、第１固定具２３のフランジ部２７と、スリーブ部材１１の第２部分１３とがヘッド２を強く挟み、ひいてはシャフト３をヘッド２に固定することができる。本実施形態では、フランジ部２７と軸受１６との間に、スプリングワッシャ２８が挿入される好ましい態様が示されている。なお、スプリングワッシャ２８の部分は、ヘッド２の一部で置き換えられても良いし、平ワッシャでも良い。
【００４１】
第１固定具２３の第２ネジ部２６が、スリーブ部材１１の第１ネジ部１５から緩められて取り外されることにより、シャフト３は、スリーブ部材１１とともにヘッド２のホーゼル部８から取り外される。従って、第１固定具２３の締め付け又は緩めの操作のみにより、シャフト３の着脱や交換が可能になる。
【００４２】
図７には、第２孔部２２として、図３のＢ−Ｂ断面図が示されている。第２孔部２２には、ヘッド２に質量を与えるために、いわゆる錘部材として第２固定具２４が取り付けられている。上で述べたように、第２固定具２４の構成は、第１固定具２３と基本的に同一であるが、本実施形態では、第２固定具２４の第２孔部２２への取付は、フランジ部２７を用いて行われる。
【００４３】
第２孔部２２は、ヘッド２を凹ませた凹部４０に、孔３９を有するインサート部品３５が固着されて形成されている。インサート部品３５は、例えば、樹脂、ゴム又はエラストマー等の比較的柔らかい弾性体で形成されるのが望ましい。
【００４４】
インサート部品３５は、ヘッド外面側の第１端部３５ａと、その反対側であるヘッドの中空部ｉ側の第２端部３５ｂとを有している。第１端部３５ａの外周部には、環状にのびるリブ４３が形成されている。インサート部品３５の孔３９は、第１端部３５ａからのびている外側孔部３６と、これに続く内側孔部３７とを有している。本実施形態の孔３９は、インサート部品３５を貫通していない。
【００４５】
インサート部品３５を第１端部３５ａから見た図である図８（Ａ）、及び、図９に示されるように、外側孔部３６は、孔３９の軸線の方向から見たときに４つの第１コーナ部４１を有する略四角形状である。外側孔部３６の輪郭形状は、第２固定具２２のフランジ部２７と略同じであり、フランジ部２７が通過しうるように、これよりも僅かに大きく形成されている。
【００４６】
図９及びそのＢ−Ｂ視である図８（Ｂ）に示されるように、内側孔部３７は、第１コーナ部４１とは異なる位置に４つの第２コーナ部４２を有している。本実施形態では、第２コーナ部４２は、第１コーナ部４１から約４５度回転させた位置に設けられている。
【００４７】
内側孔部３７と外側孔部３６との間には、段差４５が形成されている。
【００４８】
第２固定具２４は、ヘッドの底面側から第２孔部２２に挿入される。この際、フランジ部２７の四角形状の輪郭が、外側孔部３６の四角形状の輪郭に揃えられて挿入される。フランジ部２７が外側孔部３６を通過した後、第２固定具２４は、第２孔部２２の軸線の周りに本実施形態では約４５度回転させられる。フランジ部２７の各コーナ部２９は、インサート部品３５の内側孔部３７の内周面を弾性変形させながら、内側孔部３７の第２コーナ部４２に嵌り込み、それ以上の回転が規制される。
【００４９】
さらに、第２固定具２４は、図７に示されるように、内側孔部３７と外側孔部３６との間の段差４５で軸方向にも抜け止めされる。また、第２固定具２４の頭部２５の周囲は、リブ４３で取り囲まれている。これによって、第２固定具２４とヘッド２との直接的な接触が防止され、例えば、ボール打撃時の異音（音鳴）の発生が防止される。また、リブ４３は、インサート部品３５とヘッド２の凹部４０との接着面積を増大させ、高い接着強度を提供する。なお、図７は、図８（Ｂ）のＹ−Ｙ断面に相当している。従って、きわめて簡単な操作で第２固定具２４は、第２孔部２２に取り付けられる。第２ネジ部２６と孔３９との間の隙間には、樹脂や金属等の別のインサートが挿入されても良い。
【００５０】
一方、第２固定具２４をヘッド２から取り外す場合、第２固定具２４は、前記とは逆方向に約４５度回転させられる。即ち、第２固定具２４の頭部２５と、リブ４３の内周面との間には、両者の相対的な回転が許容される程度の隙間が存在している。これにより、第２固定具２４のフランジ部２７の各コーナ部２９は、インサート部品３５の内側孔部３７の内周面を弾性変形させながら、外側孔部３６と互いに一致するようにその輪郭を位置させ得る。従って、第２固定具２４は、きわめて簡単な操作で、第２孔部から軸方向に抜き取ることができる。
【００５１】
以上説明したように、本実施形態のゴルフクラブ１によれば、第１固定具２３は、第１孔部２１から取り外して第２孔部２２にも取り付けることができる。また、第２固定具２４は、第２孔部２２から取り外され、かつ、シャフト３をヘッド２に固定するために第１孔部２１に取り付けることができる。
【００５２】
従って、シャフト３をヘッド２に固定するための第１固定具２３と、ヘッド２に質量を付与するための第２固定具２４とは、互いに位置交換可能である。このため、シャフト３をヘッド２に取り付けるために利用されている第１孔部２１には、種々の質量の第１固定具２３を選択して固着することができる。つまり、第１孔部２１も、ヘッド２の重心位置を調整するための孔として利用され得る。これは、ヘッド底面側に設けられる孔の数を減らすことに寄与する。従って、本発明によれば、例えば、ヘッド体積の小さいフェアウェイウッド等にあっても、シャフトの着脱性の機能を保持させたまま、第１孔部と第２孔部とを利用して、ヘッドの重心位置の調節が可能になる。
【００５３】
上記実施形態では、第１固定具２３及び第２固定具２４は、それぞれ、互いに独立した２つの取付手段を持っている。即ち、各固定具２３、２４は、第１孔部２１に取り付けられる際に利用される第２ネジ部２６（第１取付手段）と、第２孔部２２に取り付けられる際に利用されるフランジ部２７（第２取付手段）とを具えている。しかしながら、本発明は、このような実施形態に限定されるものではない。
【００５４】
本発明の他の実施形態では、各固定具は、一つの取付手段のみを有する。例えば、第２孔部２２は、インサート部品３５に代えて、内部に、ヘッド外方に向かって突出する雄ネジ部が形成された孔として作られ得る（図示省略）。この態様によれば、第１固定具２３及び第２固定具２４は、雌ネジ部からなる第２ネジ部２６のみを具えていれば良く、構成が簡素化される。
【００５５】
本発明の好ましい他の実施形態として、第１固定具２３は、質量が異なる複数種類を含み、その中から最適な質量が選択されて第１孔部２１に取り付けられる。同様に、本発明の好ましい他の実施形態として、第２固定具２４は、質量が異なる複数種類を含み、その中から最適な質量が選択されて第２孔部２２に取り付けられる。これらの第１固定具２３及び第２固定具２４には、最適な質量のものが採用されることで、ゴルファーに合ったヘッド重心の位置が得られる。また、第１固定具２３及び第２固定具２４の位置が交換されることにより、ヘッドの重心をトウ側又はヒール側に移動させることができる。
【００５６】
本発明において、第２孔部２２の位置は、特に限定されるものではない。上記実施形態では、第２孔部２２は、第１孔部のトウ側に設けられているが、前側や後側でも良い。また、好ましい態様では、図１０に示されるように、第１孔部２１と第２孔部２２は、それぞれ、フェース９からの距離Ｌ１、Ｌ２が略一定であることが望ましい。これにより、例えば、重心深度を変えることなく、トウ又はヒール方向へヘッド重心をより効果的に大きく調整することができる。第１孔部２１のフェース９からの距離Ｌ１及び第２孔部２２のフェース９からの距離Ｌ２は、それぞれ、次のように定められる。
【００５７】
先ず、ゴルフクラブ１が、基準状態に置かれる。基準状態とは、ゴルフクラブ１の姿勢を一義的に定めるもので、ゴルフクラブ１が、当該クラブに定められているライ角、フック角及びロフト角で水平面に置かれた状態である。基準状態の底面図（即ち、水平面に投影された二次元の底面図）において、ヘッド２のフェース９の下縁９ｂのリーディングエッジの接線Ｎが定められる。第１孔部２１及び第２孔部２２の開口輪郭の図心２１Ｇ及び２２Ｇがそれぞれ特定される。第１孔部２１の図心２１Ｇと直線Ｎとの最短距離が、前記距離Ｌ１である。同様に、第２孔部２２の図心２１Ｇと直線Ｎとの最短距離が、前記距離Ｌ２である。さらに、上記「略一定」とは、距離Ｌ１とＬ２との差が、距離Ｌ１又はＬ２の大きい方の距離の２０％以下であれば良い。
【００５８】
図１１には、さらに本発明の他の実施形態が示されている。図１１において、上記実施形態で説明された部分については、同じ符号が使用されており、ここでは説明が省略される。この実施形態では、第１孔部２１には、第１ネジ部１５と同軸上で第１ネジ部１５とは離間した位置に第３ネジ部４７が設けられている。第３ネジ部４７は、例えば、第１ネジ部１５の下方に位置し、本実施形態では、第１孔部２１の入り口に設けられた雌ネジ部からなる。
【００５９】
一方、第１固定具２３（及び第２固定具２４）には、第２ネジ部２６と同軸上で第２ネジ部とは離間した位置に第３ネジ部４７に噛み合う第４ネジ部４８が設けられている。第４ネジ部４８は、例えば、第１ネジ具２３の頭部２５の外周面に設けられた雄ネジ部からなる。このような実施形態では、第１固定具２３が、同軸上に、それぞれ独立して設けられた２つのネジ対偶を持つため、より強固かつ確実にヘッド２に固定される。なお、図７に示した第２孔部２２の実施形態では、そこには、第３ネジ部４７は設けられない。
【００６０】
以上、本発明の実施形態が、詳細に説明されたが、本発明は、上記の実施形態に限定されることなく種々の態様に変更して実施することができる。
【符号の説明】
【００６１】
１    ゴルフクラブ
２    ヘッド
３    シャフト
１０  シャフト差込孔
１１  スリーブ部材
１５  第１ネジ部
２１  第１孔部
２３  第１固定具
２６  第２ネジ部
２７  フランジ部
２９  コーナ部
３５  インサート部品
３６  外側孔部
３７  内側孔部
４１  第１コーナ部
４２  第２コーナ部
【図１】
2015009048.tif 000003
【図２】
2015009048.tif 000004
【図３】
2015009048.tif 000005
【図４】
2015009048.tif 000006
【図５】
2015009048.tif 000007
【図６】
2015009048.tif 000008
【図７】
2015009048.tif 000009
【図８】
2015009048.tif 000010
【図９】
2015009048.tif 000011
【図１０】
2015009048.tif 000012
【図１１】
2015009048.tif 000013